(57)【要約】ソーラセルモジュールで用いられる接続箱、接続箱を含むフレーム、および接続箱を含むソーラセルモジュールが、本明細書に記載される。接続箱は、フレームの区画の一部を形成してもフレームの角継手を形成してもよく、セルパネルの縁に沿って延在する。接続箱は、セルパネルの縁を締め付けるのに適合された収納部および締め付け部を含む本体；収納部の中に搭載され、少なくとも１つのスイッチングダイオードを備えた接続ラインを有する配線板；接続ラインの一方の端部に接続され、プラグを含む雄型接続部ケーブル；および接続ラインの他方の端部に接続され、ソケットを含む雌型接続部ケーブルを含む。
2013526064.tif 000002
【特許請求の範囲】
【請求項１】
セルパネルおよび前記セルパネル用のフレームを含む、ソーラセルモジュール用の接続箱であって、
前記接続箱が、
前記フレームの少なくとも一部または前記フレームの角継手のいずれかを形成するのに適合され、
長手方向に延在し、
前記長手方向に第１の末端部および第２の末端部を有し、かつ、
本体を備え、前記本体が、
絶縁材料から作られ、
締め付け部と収納部とを含み、
前記締め付け部は、前記セルパネルの縁上に締め付けるように適合されており、
配線板を備え、前記配線板が、
前記収納部に搭載され、
少なくとも１つのスイッチングダイオードを備えている接続ラインを有し、
内部端部および外部端部を有する雄型接続部ケーブルを備え、
前記内部端部が、前記接続ラインの一方の端部に電気的に接続されており、
前記外部端部が、前記第１の末端部に、または前記第１の末端部の外部にプラグを有し、
内部端部および外部端部を有する雌型接続部ケーブルを備え、
前記内部端部が、前記接続ラインの他方の端部に電気的に接続されており、
前記外部端部が、前記第２の末端部に、または前記第２の末端部の外部にソケットを有する、
接続箱。
【請求項２】
前記少なくとも１つのダイオードが、直列に接続され、かつ、前記接続ラインに搭載されており、前記接続ラインが、隣接したダイオード間に配置されたプラグインコネクターを有し、前記プラグインコネクターが、前記セルパネルから前記リード線に挿入されるとともに前記挿入されたリード線を締め付けるように、適合されている、請求項１に記載の接続箱。
【請求項３】
前記接続ラインの前記２つの端部の少なくとも１つがプラグインコネクターを備えていて、前記プラグインコネクターが、対応する前記雄型接続部ケーブルまたは前記雌型接続部ケーブルの前記内部端部または内部端部連結ワイヤの挿入のために、および同時に前記挿入された内部端部または内部端部連結ワイヤを締め付けるために構成されている、請求項２に記載の接続箱。
【請求項４】
前記接続箱が、互いに接する２つの隣接セルパネルの間に組み立てられる共有タイプの接続箱であるように構成される、請求項１〜３のいずれか１項に記載の接続箱。
【請求項５】
前記接続箱が、互いに角度を形成する２つの隣接フレーム区画を接続する前記フレームの角継手であるように適合されている、請求項１〜４のいずれか１項に記載の接続箱。
【請求項６】
前記本体の長手方向の末端部にある少なくとも１つのプラグブロックをさらに含み、前記プラグブロックは、前記接続箱およびプロファイルセグメントがフレーム区画を形成することができるように前記フレームプロファイルセグメントへ差し込まれることに適しており、対応する雄型接続部ケーブルまたは雌型接続部ケーブルの前記外部端部が、前記フレーム区画の前記対応する外側端部に延在する、請求項１〜４のいずれか１項に記載の接続箱。
【請求項７】
前記プラグブロックおよび前記本体が、同じ絶縁材料から作られ、前記プラグブロックおよび前記本体は、一体に形成されているか、または、別々に形成されて次いで共に組み立てられている、請求項６に記載の接続箱。
【請求項８】
前記絶縁材料が、プラスチックまたはセラミックである、請求項７に記載の接続箱。
【請求項９】
前記プラスチックが、ポリテレフタル酸エステル、ポリブチレンテレフタレートおよびポリトリメチレンテレフタレートからなる群から選択される、請求項８に記載の接続箱。
【請求項１０】
前記本体が、前記長手方向に沿って一定の外側輪郭形状を有し、前記締め付け部が、前記収納部と一体化して形成され得るか、または、前記収納部の上に組み立てられ得る、請求項１〜４のいずれか１項に記載の接続箱。
【請求項１１】
前記収納部が、頂壁、正面壁および背面壁、２つの長手方向の端壁ならびに底壁を有し、前記頂壁が、前記セルパネルの前記縁に対して接するように設計されており；収納スペースが、前記配線板を収容するために前記頂壁と前記底壁との間で形成され、前記収納スペースは、前記正面壁および前記背面壁ならびに前記底壁の少なくとも１つに形成された開操作開口を有し；前記接続箱が、前記操作開口を密閉する除去可能な接続箱蓋をさらに含む、請求項１０に記載の接続箱。
【請求項１２】
前記締め付け部が、前記収納部の前記頂壁から上方へ延在する垂直の壁、および前記垂直の壁に直角であって前記垂直の壁の前記上側端部から延在する水平の壁を含み、前記水平の壁が、前記収納部の前記頂壁に面し、かつ平行であり；前記セルパネルの前記縁の挿入に適しているセルパネルスロットが、前記収納部の前記頂壁と前記締め付け部の前記水平の壁との間で画定されている、請求項１１に記載の接続箱。
【請求項１３】
前記収納部の前記頂壁が、前記セルパネルの前記リード線が通り抜けるのに適したアパーチャを備えている、請求項１２に記載の接続箱。
【請求項１４】
前記本体が前記長手方向に沿って一定の外側輪郭形状を有し、かつ、前記締め付け部が、前記収納部に一体化して形成され得るか、または前記収納部の上に組み立てられ得る、請求項４に記載の接続箱。
【請求項１５】
前記収納部が、頂壁、正面壁および背面壁、２つの長手方向の端壁ならびに底壁を有し、前記頂壁が前記セルパネルの縁に対して接し；収納スペースが、前記配線板を収容するために前記頂壁と前記底壁の間で形成され、前記収納スペースが、前記正面壁および前記背面壁ならびに前記底壁の少なくとも１つに形成された開操作開口を有し；前記接続箱が、前記操作開口を密閉する除去可能な接続箱蓋をさらに含む、請求項１４に記載の接続箱。
【請求項１６】
前記締め付け部が、前記収納部の前記頂壁の前記長手方向の中心線から上方に延在する垂直の壁、および、前記垂直の壁に直角であって前記垂直の壁の前記上側端部からの２つの反対方向に沿って延在する２つの水平の壁を含み、前記２つの水平の壁が、前記収納部の前記頂壁に面し、かつ、平行であり；２つの隣接セルパネルの前記縁の挿入にそれぞれ適している２つのセルパネルスロットが、前記収納部の前記頂壁と前記締め付け部の前記２つの水平の壁との間で画定されている、請求項１５に記載の接続箱。
【請求項１７】
前記収納部の前記頂壁が、互いに対して接する前記２つの隣接セルパネルの前記リード線が通り抜けるのにそれぞれ適しているアパーチャを備えている、請求項１４に記載の接続箱。
【請求項１８】
追加接続ケーブルをさらに含み、その一方の端部が、前記ソケットに隣接するとともに前記ソケットと適合しているプラグを有し、その他方の端部が、前記プラグに隣接するとともに前記プラグと適合しているソケットを有する、請求項１〜１７のいずれか１項に記載の接続箱。
【請求項１９】
ソーラセルモジュールにおいて用いられるフレームであって、前記フレームの前記フレーム区画または前記角継手の少なくとも一部が、請求項１〜１８のいずれか１項による前記接続箱によって形成される、フレーム。
【請求項２０】
ポリテレフタル酸エステル、ポリブチレンテレフタレートおよびポリトリメチレンテレフタレートからなる群から選択されるプラスチックを含む、請求項１９に記載のフレーム。
【請求項２１】
少なくとも１つのソーラセルを有するセルパネル；
前記セルパネルの周囲を囲むフレーム部材；および
前記フレーム部材の前記フレーム区画または前記角継手の少なくとも一部を形成するための、請求項１〜１７のいずれか１項に記載の接続箱；
を含み、前記セルパネルのリード線が前記接続箱に接続されている、ソーラセルモジュール。
【請求項２２】
前記フレームがアルミニウム合金またはプラスチックから作られている、請求項２１に記載のソーラセルモジュール。
【請求項２３】
前記プラスチックが、ポリテレフタル酸エステル、ポリブチレンテレフタレートおよびポリトリメチレンテレフタレートからなる群から選択される、請求項２１または２２に記載のソーラセルモジュール。
【請求項２４】
前記フレームが、プロファイルセグメントの形態の複数のフレーム区画、互いに角度を形成する隣接フレーム区画を接続する角継手、および前記接続箱で組み立てられるか、または、前記フレーム部材の全体が、射出成形によって一体に形成された、請求項２０〜２３のいずれか１項に記載のソーラセルモジュール。
【請求項２５】
前記ソーラセルが、結晶シリコンソーラセルである、請求項２０〜２４のいずれか１項に記載のソーラセルモジュール。
【請求項２６】
複数のソーラセルが、前記セルパネルに配置され、これらのソーラセルはバスバーによって直列に接続されて、直列に接続されたいくつかのソーラセルを各々含む複数のソーラセルストリングを形成する、請求項２５に記載のソーラセルモジュール。
【請求項２７】
前記ソーラセルが、薄膜ソーラセルである、請求項２０〜２４のいずれか１項に記載のソーラセルモジュール。
【発明の詳細な説明】
【技術分野】
【０００１】
関連出願の相互参照
本出願は、中国特許出願公開第２０１０１０１６２９９２．Ｘ号明細書および同第２０１０１０１６２９７７．５号明細書の優先権を主張し、この両者は２０１０年４月２６日に出願されたものであり、この両者はここに本明細書に組み込まれる。
【０００２】
本出願は、ソーラセルモジュールで用いられる接続箱、ソーラセルモジュール用のフレーム、および接続箱を備えるソーラセルモジュールに関する。
【背景技術】
【０００３】
近年、光電池（ｐｈｏｔｏｖｏｌｔａｉｃ  ｃｅｌｌｓ）としても知られるソーラセル（ｓｏｌａｒ  ｃｅｌｌｓ）は、その技術および商業用途を大きく発展させつつ急速に開発されてきている。主要なタイプのソーラセルパネルは次のとおりである：
（１）単結晶シリコンソーラセル。これはすべてのタイプのソーラセルの中で最も高い、約１５％、最大２４％までの光電変換効率を有するが、製造コストが最も高いものの１つでもあり、このことが大規模な利用を妨げている。単結晶のシリコンは、一般に強化ガラスと防水樹脂に包まれているため、強固で耐久性があり、約１５年から２５年までの耐用年数を有する。
（２）多結晶シリコンソーラセル。これは約１２％の、より低い光電変換効率を一般に有する。しかし、日本のシャープ株式会社から市販のそのようなセルは、１４．８％の効率を有することに留意されたい。（１）と比較して、このタイプのセルは、さほどコストがかからず、製造するのがより簡単で、電力消費がより少なく、したがって、より容易に大規模化できるが、耐用年数はより短く、そのためコスト効率は（１）の方がより良くなる。
（３）非晶質シリコンソーラセル。これは薄膜ソーラセルであり、１９７６年に現われ、工程が大幅に簡素化され、シリコン材料をほとんど消費せず、かつ、電力消費がより少ないという点で、（１）および（２）と異なる製造工程を有する。このタイプのソーラセルは、薄暗い太陽光から電力を発生することができるが、その光電変換効率はわずか約１０％であり、不安定であり、時間と共に低下する。
（４）多元化合物太陽電池（ｍｕｌｔｉｐｌｅ  ｃｏｍｐｏｕｎｄ  ｓｏｌａｒ  ｃｅｌｌ）。これは、１種類の半導体材料から製造される必要はなく、組み合わされた半導体材料のものである。複合的化合物ソーラセルは以下のものを含む：
（ａ）硫化カドミウムソーラセル
（ｂ）ヒ化ガリウムソーラセル
（ｃ）セレン化銅インジウム［Ｃｕ（Ｉｎ，Ｇａ）Ｓｅ２］薄膜ソーラセル。
【０００４】
Ｃｕ（Ｉｎ，Ｇａ）Ｓｅ２薄膜ソーラセルは、傾斜バンドギャップを有する複合半導体材料を有し、このバンドギャップとは伝導帯と価電子帯との間のエネルギー差である。そのような材料は優れた太陽光吸収材料であり、光電変換効率を高めるために吸収される太陽光のスペクトル範囲を拡大させることができる。Ｃｕ（Ｉｎ，Ｇａ）Ｓｅ２薄膜ソーラセルは、１８％までの光電変換効率を有し、これはシリコン薄膜ソーラセルの光電変換効率より高く、さらに、ステブラー・ロンスキー効果（Ｓｔａｅｂｌｅｒ−Ｗｒｏｎｓｋｉ  Ｅｆｆｅｃｔ、ＳＷＥ）を有しない。したがって、そのようなソーラセルは、現在市販の薄膜ソーラセルパネルより約５０％〜７５％高く、すべての種類の薄膜ソーラセルの中で最も高い光電変換効率を有する。
【０００５】
ソーラセルの構造は、ウェハー型（区画形状の）または薄膜型のソーラセルとして分類することができる。図１ａは、セルパネル１０、フレーム３０および接続箱５０を有する、従来区画形状のソーラセルモジュール１００）を示す。セルパネル１０は、積層板によって通常形成され、ソーラセル１のアレイを配置される。必要とされるセル出力電圧を提供するために、複数のソーラセルが、ソーラセルストリング２を形成するために直列に多くの場合接続され、さらに複数のそのようなソーラセルストリング２が、バスバーによって直列に接続される。ソーラセルストリング２のリード線は、接続箱５０に接続される。
【０００６】
接続箱５０は、セルパネル１０の背面に、例えばシリカゲルにより取り付けされて、通常搭載される。図１ａで、接続箱５０を表示するために、接続箱が設置された領域にはソーラセル１を示していないが、明確にしておくと、ソーラセル１はセルパネル１０のほぼ全領域にわたって配置されている。接続箱５０は、出力ケーブル７０が接続される正端子先端部および負端子先端部を有する。接続ラインが、正端子先端部と負端子先端部との間に提供される。接続ラインにおいて逆電流を防止するために、スイッチングダイオードが、接続ラインの中で直列に接続される。スイッチングダイオードの数は、ソーラセルストリング２の数に対応する。各ソーラセルストリング２のリード線は、対応するダイオードの２つの端部にそれぞれ接続される。
【０００７】
フレーム３０が、セルパネル１０の周囲を囲み、それを太陽光照射、風および雨から保護する。フレームは、アルミニウム合金で通常作られる。例えば、図１ａに示すように、フレームは、アルミニウム合金押し出し成形プロファイルセグメント（ｐｒｏｆｉｌｅ  ｓｅｇｍｅｎｔ）および角継手によって組み立てられる。
【０００８】
図１ｂは、セルパネル１０、フレーム部材３０および接続箱５０を有する典型的な薄膜ソーラセルモジュール２００を示す。セルパネル１０は、バスバー６によって接続箱５０に接続される、主として単一の薄膜ソーラセルによって形成される。接続箱５０は、セルパネル１０の背面に搭載され、通常１つのダイオードを有する。セルパネル１０の２つのリード線が、接続箱内のダイオードの両側に接続される。出力ケーブル７０は、接続箱５０から外部に通じる。
【０００９】
従来技術の接続箱は、温度が上昇するにつれて、ソーラセルモジュールの発電効率の低下をこうむる。従来技術の接続箱は高温で作動し、さらにソーラセルモジュールの背面に取り付けられているため、モジュールのその部分の温度を上昇させる。したがって、この取り付けの方向付けは、ソーラセルモジュールの総出力効率に影響を与え、かつ、それによってその耐用年数を低下させる。
【発明の概要】
【発明が解決しようとする課題】
【００１０】
使用に当たって、ソーラセルシステムを形成するために、複数のソーラーセルモジュール１００が、屋上のような太陽光受光面に通常配列され、かつ、複数のソーラーセルモジュール１００は、接続箱からのケーブルによって直列におよび／または並列に接続される。接続箱はセルパネルの背面上に配置されるので、接続箱にケーブルを接続すること、ケーブルを保護、固定すること、さらにソーラセルシステム全体を搭載することは、厄介であり、また、多くの時間を要するものである。それと同時に、ケーブルを用いると、ソーラセルシステムの全体的なコストが増加する。
【００１１】
したがって、上述の既存の問題を解決するために、ソーラセルモジュール、特に接続箱を改善することが望ましい。
【課題を解決するための手段】
【００１２】
セルパネルおよびセルパネルの周囲を囲むフレームを含むソーラセルモジュールの中で用いられる接続箱を本明細書に記載する。本明細書に記載の接続箱は、少なくともフレームの区画の一部を形成するのに適しており、また、長手方向に沿って延在する。これらの接続箱は、長手方向の中に第１の端部および第２の端部を有し、下記を含む：
絶縁材料から作られ、締め付け部と収納部とを含み、締め付け部は、セルパネルの縁を締め付けるのに適した、本体；
収納部に搭載され、少なくとも１つのスイッチングダイオードを備えている接続ラインを有する、配線板；
雄型接続部ケーブルであって、その内部端部が、接続ラインの一方の端部に電気的に接続され、かつ、その外部端部が、第１の末端部に、または、第１の末端部の外側に位置するプラグを有する、雄接続部ケーブル；および
雌型接続部ケーブルであって、その内部端部が、接続ラインの他方の端部に電気的に接続され、かつ、その外部端部が、第２の末端部に、または、第２の末端部の外側に位置するソケットを有する、雌型接続部ケーブル。
【００１３】
さらに、ソーラセルモジュールの中で用いられるフレームも本明細書に記載され、本明細書に記載の接続箱によって、少なくとも、フレーム区画または角継手の一部が形成される。
【００１４】
さらに、
少なくとも１つのソーラセルを有するセルパネル；
セルパネルの周囲を囲むフレーム；および
フレーム部材のフレーム区画または角継手の少なくとも一部を形成するための、上述の接続箱；
を含み、セルパネルのリード線が接続箱に接続されている、ソーラーセルモジュールも本明細書に記載される。
【００１５】
本明細書に記載の接続箱、フレームおよびソーラセルモジュールを、図面によってさらに示す。
【図面の簡単な説明】
【００１６】
【図１ａ】従来技術のソーラセルモジュールである。
【図１ｂ】異なる従来技術のソーラセルモジュールである。
【図２ａ】本明細書に記載のソーラセルモジュールを表し、接続箱はフレーム区画の全体を形成する。図２ｂおよび２ｃと共に図２を構成する
【図２ｂ】本明細書に記載のソーラセルモジュールを表し、接続箱はフレーム区画の一部だけを形成する。図２ａおよび２ｃと共に図２を構成する。
【図２ｃ】本明細書に記載のソーラセルモジュールの変形を表し、接続箱はフレーム区画の全体を形成する。図２ａおよび２ｂと共に図２を構成する。
【図３ａ】本明細書に記載のソーラセルモジュールのフレーム断面の透視図である。図３ｂおよび図３ｃとともに図３を構成する。
【図３ｂ】本明細書に記載のソーラセルモジュールのフレーム角継手の２つの方向からの透視図の一方である。図３ａおよび図３ｃとともに図３を構成する。
【図３ｃ】本明細書に記載のソーラセルモジュールのフレーム角継手の２つの方向からの透視図の他方である。図３ａおよび図３ｂとともに図３を構成する。
【図４ａ】本明細書に記載の接続箱である。図４ｂ、図４ｃおよび図４ｄとともに図４を構成する。
【図４ｂ】本明細書に記載の接続箱と対応するフレーム断面との間の継ぎ目を示す分解組立図。図４ａ、図４ｃおよび図４ｄとともに図４を構成する。
【図４ｃ】本明細書に記載のフレームの角継手の形態での、本明細書に記載の接続箱の透視図。図４ａ、図４ｂ、および図４ｄとともに図４を構成する。
【図４ｄ】本明細書に記載のフレームを形成するために、本明細書に記載し、図４ｃに示すような角継手の形態での接続箱が、どのように他のフレーム区画と結合するかを表す。図４ａ、図４ｂおよび図４ｃとともに図４を構成する。
【図５】本明細書に記載の接続箱内の接続ケーブルの継ぎ目を表す。
【図６】本明細書に記載の接続箱の断面図である。
【図７】本明細書に記載の接続箱内の配線板の平面図である。
【図８ａ】本明細書に記載の接続箱内の配線板の正面図である。図８ｂおよび図８ｃと共に図８を構成する。
【図８ｂ】図８ａにおいて点線で示された「ａ」部分の拡大された透視図である。図８ａおよび図８ｃと共に図８を構成する。
【図８ｃ】図８ａにおいて点線で示された「ｂ」部分の拡大された透視図である。図８ａおよび図８ｂと共に図８を構成する。
【図９ａ】本明細書に記載の接続箱内の接続ケーブルを示す。図９ｂおよび図９ｃと共に図９を構成する。
【図９ｂ】これらの接続箱内の接続ケーブルの変形を表す。図９ａおよび図９ｃとともに図９を構成する。
【図９ｃ】これらの接続箱内の接続ケーブルの変形を表す。図９ａおよび図９ｂとともに図９を構成する。
【図１０】本明細書に記載の接続箱の本体の透視図である。
【図１１】本明細書に記載の接続箱の本体の側面図である。
【図１２】本明細書に記載の接続箱の本体の正面図である。
【図１３】本明細書に記載の接続箱の蓋の平面図である。
【図１４】本明細書に記載の接続箱の蓋の透視図である。
【図１５】本明細書に記載の共有形式の接続箱を有する、本明細書に記載の１組のソーラセルパネルを示す。
【図１６】本明細書に記載の共有形式の接続箱の本体の側面図である。
【図１７】本明細書に記載の共有形式の接続箱と対応するフレーム断面との間の継ぎ目を示す分解組立図である。
【図１８】本明細書に記載のセルパネル上に本明細書に記載の接続箱を搭載する工程を示す。
【発明を実施するための形態】
【００１７】
本明細書に記載されるのはソーラセルモジュール内の接続箱であり、これは出力効率と耐用年数を低下させるモジュールの接続箱部分の温度上昇を防止する。本明細書に記載の接続箱は、セルパネル上に容易に組み立てることができ、効率的で低コストの電気的相互接続を確立するために、異なるソーラーセルモジュールの接続箱を容易に接続することができる。
【００１８】
これらの接続箱は、セルパネルおよび周囲のフレームを含むソーラセルモジュールで用いられる。これらの接続箱は、フレームの区画の少なくとも一部を形成するのに適しており、また、長手方向に沿って延在する。それらは、長手方向の中に第１の端部および第２の端部を有し、下記を含む：
絶縁材料から作られ、締め付け部と収納部とを含み、締め付け部は、セルパネルの縁を締め付けるのに適した、本体；
収納部に搭載され、少なくとも１つのスイッチングダイオードを備えている接続ラインを有する、配線板；
雄型接続部ケーブルであって、その内部端部が、接続ラインの一方の端部に電気的に接続され、かつ、その外部端部が、第１の末端部に、または、第１の末端部の外側に位置するプラグを有する、雄接続部ケーブル；および
雌型接続部ケーブルであって、その内部端部が、接続ラインの他方の端部に電気的に接続され、かつ、その外部端部が、第２の末端部に、または、第２の末端部の外側に位置するソケットを有する、雌型接続部ケーブル。
【００１９】
少なくとも１つのスイッチングダイオードは、直列に接続され、隣接したダイオード間に配置されたプラグインコネクターを有する接続ラインに搭載される。プラグインコネクターは、セルパネルからのリード線の挿入のために、および同時に、挿入されたリード線を締め付けるために構成される。接続ラインの２つの端部の少なくとも１つは、対応する雄型接続部ケーブルまたは雌型接続部ケーブルの内部端部または内部端部連結ワイヤを挿入し、同時に、挿入された内部端部または内部端部連結ワイヤを締め付けるために構成されたプラグインコネクターを備えている。
【００２０】
本明細書に記載される接続箱は、互いに接触する２つの隣接セルパネル間で共有される接続箱であってもよく、またフレーム区画の任意の場所に配置されてもよい。好適には、これらの接続箱は、共有角度を形成するフレームの２つの隣接した区画を接続する角継手内に配置される。
【００２１】
これらの接続箱は、本体の長手方向の末端部にある少なくとも１つのプラグブロックを含んでもよく、このプラグブロックは、接続箱およびプロファイルセグメントがフレーム区画を形成することができるように、フレームプロファイルセグメントへ差し込まれることに適している。対応する雄型接続部ケーブルまたは雌型接続部ケーブルの外部端部は、フレーム区画の対応する外側端部に延在する。プラグブロックと本体は、プラスチックでもセラミックでもよいが、同じ絶縁材料から作られてもよく、また一体に形成されてもよい。代わりに、プラグブロックと本体は、別々に形成されて、次いで共に組み立てられもよい。本体は、長手方向に沿って一定の外側輪郭形状を有し、また、締め付け部は、収納部と一体化して形成するか、または収納部の上に組み立てすることができる。
【００２２】
本明細書に記載され、単一のパネルに適する接続箱のためには、収納部は、頂壁、正面壁および背面壁、長手方向の２つの端壁ならびに底壁を有する。頂壁は、セルパネルの縁に隣接して延び、また、配線板を収容するために、スペースが、頂壁と底壁との間で形成される。配線板のためのスペースは、正面壁および背面壁ならびに底壁の少なくとも１つの上に形成される操作開口を有する。接続箱は、操作開口を密閉する除去可能な蓋をさらに含む。好適には、締め付け部は、収納部の頂壁から上方へ延在する垂直の壁、および垂直の壁の上側端部から垂直の壁に直角に延在する水平の壁を含む。水平の壁は、収納部の頂壁に面し、かつ平行である。セルパネルの縁の挿入に適合するセルパネルスロットは、収納部の頂壁と締め付け部の水平の壁との間で画定される。好適には、収納部の頂壁は、セルパネルのリード線が通り抜けるのに適切な開口を備えている。
【００２３】
本明細書に記載の、共有される接続箱については、本体は、長手方向に沿って一定の外側輪郭形状を有する。締め付け部は、収納部の頂壁の長手方向の中心線から上方へ延在する垂直の壁、および垂直の壁の上側端部から２つの反対方向に沿って、垂直の壁に直角に延在する２つの水平の壁を含む。２つの水平の壁は、収納部の頂壁に面し、かつ平行である。２つの隣接したセルパネルの縁の挿入に適した２つのセルパネルスロットは、収納部の頂壁と締め付け部の２つの水平の壁との間で画定される。好適には、収納部の頂壁は、互いに接触する２つの隣接したセルパネルのリード線が通り抜けるのに適合した開口を備えている。
【００２４】
本明細書に記載の接続箱は、追加の接続ケーブルであって、その一方の端部が、ソケットに隣接し、ソケットと適合するプラグを有し、かつ、その他方の端部が、プラグに隣接し、プラグと適合するソケットを有する接続ケーブルをさらに含んでもよい。
【００２５】
さらに、このソーラセルモジュールは、ソーラセルシステムの搭載工程中に、いかなる付加ケーブルも使用せずに、したがってケーブルの固定および保護をせずに、単にコネクタを差し込むことによって、電気的な相互接続を確立することができる。したがって、搭載工程は、簡単に、迅速に、かつ低コストで行なうことができる。
【００２６】
ソーラセルモジュールで用いられるフレームも本明細書で提供され、フレーム区画または角継手の少なくとも一部が、本明細書に記載の接続箱によって形成される。本明細書に記載のフレームはアルミニウム合金またはポリマー性であってもよい。これらのフレームは、プロファイルセグメントの形態の複数のフレーム区画に、差し込まれても、それらと組み立てられてもよく、角継手が、お互いとおよび接続箱と角度を形成する隣接フレーム区画とを接続する。代わりに、フレーム全体が、射出成形によって一体に形成されてもよい。
【００２７】
さらに、本明細書に記載されるのは、本明細書に記載される接続箱を含むソーラセルパネルまたはモジュールである。本明細書に記載のソーラセルパネルは、多角形または円形であってもよい。セルパネルが長方形の場合、接続箱は、長方形のセルパネルの短いフレーム区画または長いフレーム区画の、少なくとも一部分として形成することができる。これらのソーラセルパネルに用いられるソーラセルは、結晶シリコンまたは薄膜であってもよい。複数のソーラセルが、これらのソーラセルパネル上に配置され、複数のソーラセルストリングを形成するために、バスバーによって直列に接続されてもよく、ストリングの各々は、直列に接続しているいくつかのソーラセルを含む。
【００２８】
図面全体を通じて、同じ要素番号を一貫して使用するが、同じ要素番号であっても、異なる図面においては、実際には要素の変形物について論じていることもあるということは、当業者には明らかである。
【００２９】
請求項で詳述される接続箱、ソーラセルパネルおよびフレームを、図面を参照してさらに記述する。明確にしておくと、本明細書に記載の接続箱は、区画形状のソーラセルパネル、例えば結晶シリコンソーラセルパネルと共に用いられても、薄膜ソーラセルパネルと共に用いられてもよい。当業者には、結晶シリコンソーラセルの記載の特徴が、他のウェハー型のソーラセル中の、または薄膜ソーラセル中の同様の特徴に一致することが明らかであろう。
【００３０】
ここで図２を参照すると、図２ａと図２ｂは、セルパネル１０、フレーム３０および接続箱５０を有するソーラセルモジュール１００を示す。セルパネル１０は、板を共に積層することによって形成され、ソーラセル１のアレイを含む。ソーラセルは、光電変換特性を有する任意の材料から作られ得る。例えば、ソーラセルは、単結晶シリコンウェハまたは多結晶シリコンウェハから作られ得る。ソーラセルパネルは、ソーラセルストリング２を形成するために、導体棒４によって直列に接続された複数のそのようなソーラセルを含み、次に、複数のソーラセルストリング２が、所望の出力電圧の供給するために、バスバー６によって直列に接続される。図示されるように、前のソーラセルストリング２の終点端子、および後のソーラセルストリング２の始点端子は、共にバスバー６上で接続される。このようにして、ソーラセルはすべて、ソーラセルアレイを形成するためにセルパネル１０上で直列に接続される。セルパネル１０の、リード線８ａ、８ｂおよび８ｃは接続箱５０に接続される。要素８ａは、左端のソーラセルストリング２の始点端子からのリード線を示す。要素番号８ｂは、バスバー６からのリード線を示す。要素８ｃは、右端のソーラセルストリング２の終点端子からのリード線８ｃを示す。
【００３１】
図２ｃは、セルパネル１０、フレーム部材３０および接続箱５０の有するソーラセルモジュール２００、例えば薄膜ソーラセルモジュールを示す。セルパネル１０は、薄膜ソーラセル１０から主として形成され、それは２つのバスバー６によって接続箱５０に接続され、バスバー６はリード線としての働きもする。バスバー６のための接続点は、単一のスイッチングダイオード５４のいずれかの側に置かれる。
【００３２】
図２において、フレーム３０は、セルパネル１０の周囲を囲むことよってセルパネル１０を保護する。フレーム３０は、角を共有するプロファイルセグメントから作ってもよく、一体物であってもよい。例えば、図２ａ、図２ｂおよび図２ｃは、アルミニウム合金押出し加工のセグメント３２および３２’、ならびにプロファイルセグメント３２の空洞部へ挿入する角継手３４から作られているフレーム３０を示すと考えることができる。代わりに、図２ａ、図２ｂおよび図２ｃは、フレーム３０が、プラスチック押出し加工されたプロファイルセグメント３２および３２’ならびに角継手３４を含むものとして示すと考えることもできる。
【００３３】
図２に示すように、接続箱５０は、フレーム３０の一部となるように構成される。さらに、接続箱３０は、接続箱およびセルパネルの特定形状に基づいて、セルパネルの別の部分であるように構成されてもよい。例えば、円形のセルパネルのために、接続箱は、円形フレームのアークフレーム区画であるように構成することができる。多角形のセルパネルのために、接続箱５０は、直線フレーム区画であるように構成することができる。
【００３４】
例えば、図２ａおよび図２ｃに示すように、セルパネル１０が長方形の場合、接続箱５０は、フレーム３０の側面の全体に沿って延在するように構成することができる。図２ｂは、接続箱５０が、フレーム３０の１辺の一部を形成し、プロファイルセグメント３２が、フレーム３０の１辺の全体を形成することを示す。加えて、図２ｃは、プロファイルセグメント３２を加えた接続箱５０が、フレーム５０の１辺の全体を形成するフレーム構成をさらに採用してもよい。接続箱５０は、長手方向（セルパネルの隣接縁部と平行）に沿って延在し、接続箱が、長手方向で、第１の末端部および第２の末端部の両方を有することを可能にするような構成もされ得る。
【００３５】
ここで図３を参照すると、図３ａはプロファイルセグメント３２を示し、図３ｂおよび図３ｃは、本出願の好ましい実施形態による角継手３４を示す。
【００３６】
ここで図４ａを参照すると、接続箱５０は、絶縁材料で通常作られた本体１２を含む。本体１２は、締め付け部１４および収納部１６を含む。締め付け部１４および収納部１６は、別々の部片から組み立てられても、一体型の部片として形成されてもよい。締め付け部１４は、セルパネルの縁を締め付けるように構成される。収納部１６は、収納スペース１８を有するように構成される。接続箱５０は、収納スペース１８内に搭載された配線板２０をさらに含み、接続ラインを有する。配線板２０の構造の他の詳細は後に記載される。
【００３７】
接続箱５０は、雄型接続部ケーブル２２および雌型接続部ケーブル２４をさらに含む。雄型接続部ケーブル２２は、接続ラインの一方の端部に電気的に接続された内部端部、およびプラグ２２ａを有する外部端部を有する。雌型接続部ケーブル２４は、接続ラインの他方の端部に電気的に接続された内部端部を有し、かつ、ソケット２４ａを有する外部端部を有する。
【００３８】
プラグ２２ａおよびソケット２４ａの構成は、互いに対応するのが好適であり、それは、２つの同様なソーラセルモジュール１００が互いに隣接して配置される場合、一方のソーラセルモジュール１００のプラグ２２ａ（またはソケット２４ａ）を、単にそれを差し込むことにより、他方のソーラセルモジュール１００のソケット２４ａ（またはプラグ２２ａ）に接続することができ、ソーラセルパネルシステムを形成するために、複数のソーラセルモジュール１００が速く便利な方法で配置されることを可能にするためである。図１５と合わせて図２ａ、図２ｂおよび図２ｃの中の要素２２ａおよび２４ａは、どのようにして複数のソーラセルパネルに互いにプラグを差し込み、ソーラセルパネル式を形成するかを示す。代わりに、単一のソーラセルモジュール１００だけが用いられる場合、そのプラグ２２ａおよびソケット２４ａは、ソーラセルモジュールを電気機器に接続するために用いることができる。接続箱の接続部ケーブル２２または雌型接続部ケーブル２４を導くための通路を、接続箱を有するフレーム区画に接続される角継手の中に備えるべきであるということが分かる。
【００３９】
図４ａは、収納部１６が、頂壁１６ａおよび底壁１６ｂを含み、頂壁１６ａは、セルパネル１０の縁に隣接していることを示す。収納部１６は、頂壁と底壁の間に、正面壁および背面壁ならびに２つの長手方向の端壁をさらに含む。収納スペース１８は、頂壁、正面壁および背面壁、２つの長手方向の端壁ならびに底壁によって画定され、また、操作員が、配線板２０を搭載し、それにワイヤを接続し、必要に応じボードを手入れすることを可能にする開口を有する。この開口は、正面壁および背面壁ならびに底壁の少なくとも１つの上に形成される。
【００４０】
接続箱５０は、操作開口を密閉する、除去可能な接続箱蓋２６をさらに含む。なお図４ａを参照し、さらに図１３および図１４も参照すると、接続箱蓋２６は一般的に板の形態であり、その表面上に、本体１２に面するシールストリップ２６ａ、および、その表面に直角に延在する複数の係止ピン２６ｂを有する。図１３と図１４は４本の係止ピンを示すが、任意の本数が考えられる。係止ピン２６ｂは、図１２に見られるように、本体１２の、対応するスロット３８へ挿入および係止するように適合されている。係止ピン２６ｂとスロット３８との間のこの継ぎ目は、本体１２に接続箱蓋２６を固定する。シールストリップ２６ａは、シリカゲルであってもよいが、接続箱蓋２６と本体１２との間の密閉を形成する。
【００４１】
前述の方法で本体１２へ接続箱蓋２６を固定し、密閉することは、本明細書で考えられている唯一の方法ではない。固定と密閉のための、当業者に既知の他の任意の方法も、本明細書で考えられている。他のそのような方法として、公知のバックル機構またはねじファスナーがあり、これらは係止ピン２６ｂの代わりに用いることができる。さらに、接続箱５０が搭載されたが蓋２６が固定される前に、収納スペース１８内へシーラントを注ぐことは好適であり得る。そのようなシーラントには、電気部品を保護および密閉すると同時に、熱の放散もするために、高い熱伝導率を有するシリカゲルが好適である。
【００４２】
ここで図４ａを参照して、締め付け部１４および収納部１６は、別々に形成され、次いで一体に統合されるか、単一ユニットとして作られるかのいずれかにより、一体に形成されるのが好適である。締め付け部１４は、頂壁１６ａから上方に延在する垂直の壁１４ａおよび水平の壁１４ｂを含み、この水平の壁１４ｂは、収納１６の頂壁１６ａに面し、かつ平行である。セルパネルの縁の挿入に適しているセルパネルスロットは、頂壁１６ａおよび水平の壁１４ｂの間で画定される。締め付け部１４の形状は、図４ａ内の形状に限定されず、セルパネルスロットを形成することができる限り、いかなる形状であってもよい。
【００４３】
なお図４Ａを参照し、さらに図１０も参照すると、接続箱５０が、フレームの区画の単に一部を形成する場合、接続箱５０は、本体１２の長手方向の末端部にある少なくとも１つのプラグブロック２８をさらに含む。図示されるように、本体１２は長手方向の末端部の各々でプラグブロック２８を備えている。しかし、本体１２が、ただ１つのプラグブロック２８を含むことも考えられる。接続箱５０が区画の全体を形成する場合、プラグブロック２８は、本体１２に備えられない。
【００４４】
プラグブロック２８および収納部１６の端壁は、プラグブロック２８の外側端部から収納スペース１８へ長手方向に延在する、１つまたは複数のケーブル開口２８ａを有する。このようにして各雄型接続部ケーブルまたは雌型接続部ケーブルを、プラグブロック２８および収納部１６の端壁を通り抜け、配線板２０に接続することができる。
【００４５】
ここで図４ｂを参照すると、接続箱５０およびプロファイルセグメント３２’が共にフレームの区画を形成するように、プラグブロック２８をプロファイルセグメント３２’に差し込むことができる。プロファイルセグメント３２’は、上述のプロファイルセグメント３２に対して異なる構造、または同一の構造を有することができる。雄型接続部ケーブル２２に対応するプラグ２２ａまたは雌型接続部ケーブル２４のソケット２４ａ（図４ａを参照）は、フレーム区画の対応する外部端部に延在し、さらに、好適には、フレーム区画の外部端部の外側に、外部への差し込み動作に適するある距離まで延在する。さらに、接続箱５０は、本体１２の片方または両方の端部に、プラグブロック２８を提供しないか、または適切な長さの１つのプラグブロック２８を提供するかのいずれかによって、フレーム区画の任意の場所にも配置することができる。
【００４６】
図４ｃに示すように、接続箱５０は、互いに角度を形成する共有フレーム区画を接続する角継手として構成されてもよい。図４ｄは、フレーム３２を形成するために、他のフレーム区画３２’に連結するそのような角継手として、接続箱５０を表す。
【００４７】
図４ａ、図４ｃおよび図４ｄは、プラグ２２ａおよびソケット２４ａが、接続箱５０の出力ターミナルを形成し、接続箱５０が位置しているフレーム区画の対向端部にあることを表す。図２ａと図２ｂは、接続箱５０が、接続箱５０およびプロファイルセグメント３２’の両方を通って長手方向に延在する、付加的な接続ケーブル３を有することを表す。接続ケーブル３の一方の端部は、ソケット２４ａに隣接し、かつ、対応するプラグ３ａを有し、接続ケーブル３の他方の端部は、プラグ２２ａに隣接し、かつ、対応するソケット３ｂを有する。このようにして、接続箱５０を含むフレーム３２の区画が、外部配線を必要とする場合、３ａ／２４ａおよび／または３ｂ／２２ａを担うフレーム区画のいずれかの端部は、外部配線のために使用することができる。
【００４８】
ここで図５を参照すると、接続箱５０内の接続ケーブル２２および２４の、配置および継ぎ目が示される。雄型接続部ケーブル２２および雌型接続部ケーブル２４は、配線板２０に、直接に、または連結ワイヤ３６を介して連結されてもよい。さらに図６および図１２を参照すると、収納部１６の頂壁１６ａは、リード線が通り抜けるのに適切な開口４０を備えている。
【００４９】
図１１は、本体１２およびプラグブロック２８の両方が同じ形状および断面を有していることを示す。さらに図４ｂを参照すると、プロファイルセグメント３２’は、本体１２およびプラグブロック２８と同一か、または互換性をもつ形状を有するのが好適である。このようにして、接続箱５０が、プロファイルセグメント３２’と繋がれた後、結果として生ずるフレーム区画は比較的一様な形状および断面を有することになる。さらに詳しくいえば、プロファイルセグメント３２’の締め付け部１４’は、接続箱５０の本体１２の締め付け部１４と一致している形状と断面を有することになる。同様に、シリンダ部１６’は、接続箱５０の収納部１６と一致している形状と断面を有することになる。シリンダ部１６’は空洞であり、プラグブロック２８は、シリンダ部１６’にぴったりと入るように適合されている。プラグブロック２８および／またはシリンダ部１６’は、それらの繋ぎを容易にするために、誘導、係止および／または固定の手段を含んでもよい。
【００５０】
図６は、接続箱５０内の要素の継ぎ目を示す。配線板２０は、図１２に示されるねじ穴４２にねじ込まれたねじ４４によって、またはバックル構造など他の固定方法によって収納部１６に固定されてもよい。
【００５１】
図９は、雄型接続部ケーブル２２および雌型接続部ケーブル２４の変形物を表す。この図において、２２ａは、雄型接続部ケーブル２４のプラグであり、２４ａは、雌型接続部ケーブル２４のソケットである。当業者は、他の変形物が可能であり、また、これらが本明細書で考えられていることを容易に理解するであろう。
【００５２】
図７および図８は、配線板２０の詳細を表す。配線板２０は、プラグインコネクター５２が固定される、少なくとも２つの導電性領域４８を有する基板４６を含む。スイッチングダイオード５４は、電気的に互いから分離された、２つの隣接した導電性領域４８の間に搭載される。図２は、ダイオード５４が、ソーラセルパネル１００内でどのように位置しているかを示す。このようにして、プラグインコネクター５２および導電性領域４８によって直列に接続されているダイオード５４からなる接続ラインが、基板４６上に形成される。
【００５３】
配線板２０は、プリント回路板（ＰＣＢ）とすることができ、この状況の下で、基板４６は、プリント回路板の基板である。しかしながら、配線板２０は、その上で接続ラインを固定させることができる限り、溝付きで作製された、ポリマー性絶縁材料の条片のような１片、または、プラグインコネクター５２およびダイオード５４を固定するための類似の構造などの他の形態であってもよい。
【００５４】
ソーラセル１またはソーラセルストリング２のリード線は、頂壁１６ａ内のアパーチャ４０を通って収納スペース１８へ通過するために誘導され、さらにプラグインコネクター５２に差し込まれてもよい。
【００５５】
好適には、プラグインコネクター５２は、導電性領域４８に固定され、２つの対向するリード（ｒｅｅｄ）５８を突き出している導電性の底板５６を含む。ソーラセル１またはソーラセルストリング２のリード線が、リード（ｒｅｅｄ）の間に差し込まれた後、対向するリード（ｒｅｅｄ）が弾力的に分離され、その結果、リード線の末端部を締め付けるように、リード（ｒｅｅｄ）５８の間を、間隙がなくするか、または、小さくするかのいずれかとする。
【００５６】
ダイオード５４のピンは、穴６８を介して導電性領域４８上に固定することができ、それによってプラグインコネクター５２とダイオード５４とを電気的に接続する。当業者は、電気的にコネクタとダイオードを接続する他の方法が用いられてもよく、これらは本明細書で考えられていることを理解するであろう。
【００５７】
各プラグインコネクター５２は、雄型接続部ケーブル２２と雌型接続部ケーブル２４（図５を参照）とを接続する連結ワイヤ３６の挿入用の水平プラグインコネクタ６２を有する。各水平プラグインコネクタ６２は、導電性の底板５６に直角につながる導電性の底板６４と導電性の底板６４から突き出す対向するリード（ｒｅｅｄ）６６とを有する。対向するリード（ｒｅｅｄ）６６の構成および機能は、対向するリード（ｒｅｅｄ）５８の構成および機能と同様である。
【００５８】
リード（ｒｅｅｄ）型コネクタの５２と６２により、容易な差し込みおよび取り外しが可能となり、ソーラセル１またはソーラセルストリング２のリード線の、雄型接続部ケーブル２２および雌型接続部ケーブル２４との電気的導通が容易となり、それによって接続箱５０の設置および保全が非常に簡単になる。
【００５９】
図１５は、互いに隣接している２つの隣接セルパネル１０の間に搭載される共有タイプの接続箱５０’を示す。共有タイプの接続箱５０’において、本体１２は、共に組み立てられるか、一体に形成される、締め付け部１４および収納部１６を含む。締め付け部１４は、その両側で２枚のセルパネルの縁を締め付けるように構成される。
【００６０】
収納部１６は、頂壁１６ａおよび底壁１６ｂを有し、頂壁１６ａは、２枚のセルパネルの縁に対して接することができる。共通配線板２０、雄型接続部ケーブル２２および雌型接続部ケーブル２４を収容するために、共有の収納スペースが、頂壁１６ａと底壁１６ｂの間で形成される。
【００６１】
締め付け部１４は、収納部１６の頂壁１６ａの長手方向の中心線から上方に延在する共有の垂直の壁１４ａ、および、共有の垂直の壁１４ａの上側端部から２つの反対方向に沿って延在し、かつ共有の垂直の壁に直角である２つの水平の壁を含む。２つの水平の壁１４ｂは、収納部の頂壁１６ａに面し、かつ平行である。互いに隣接した２つの隣接セルパネルの縁の挿入にそれぞれ適している２つのセルパネルスロットは、頂壁１６ａと２つの水平の壁１４ｂとの間で画定される。共有タイプの接続箱５０’の他の構造的特徴は、上述の単一のセルパネル用の接続箱５０と同様であり、したがって、詳細には記述しない。
【００６２】
図１７は、セグメント３２’’と接続箱５０’とを結合するに当たって、結果として生ずるフレームまたはフレーム区画が同様の形状および断面を有するように、プロファイルセグメント３２’’および共有タイプの接続箱５０’は、同様の形状および断面を有することを示す。
【００６３】
図１８は、接続箱５０をセルパネル１０上へ搭載する工程を表す。セルパネル１０の背面が示されている。フレームの区画を形成するために、接続箱５０が、プロファイルセグメント３２’と結合した場合、結合したフレーム区画にセルパネル１０の縁を挿入すると、セルパネル１０と接続箱５０との間の接続が完成する。シールストリップ２６ａ（例えばシリカゲル）が、接続箱５０の開口のまわりに適用されてもよく、その後に接続箱蓋２６が、開口上に置かれ、それにより、接続箱５０をセルパネル１０に搭載することが可能になる。
【００６４】
図１８は、セル１０の背面への、接続箱の搭載を示すが、接続箱５０は、フレームの区画へ統合されるのが、好適である。したがって、接続箱は、モジュールの部分に温度上昇を引き起こさず、そうすると、モジュールの出力効率に影響を与えず、かつモジュールの長期的な耐用年数を低下させることがないであろう。
【００６５】
さらに、ソーラセルシステムを搭載する工程中に、隣接したソーラーセルモジュールは、単にそれらの雄雌コネクタを差し込むことにより、いかなる付加的なケーブルの使用もなしに、電気的な相互接続を確立することができ、それにより、搭載工程は、簡単に、素早く、および低コストで完了できる。さらに、ソーラセルモジュールの感知および保全も容易に実現することができる。
【００６６】
材料
射出成形または押出し成形によって、高分子材料で成型された接続箱の、フレーム区画、角継手、本体およびプラグインブロック。これらの部品のいかなるものも、任意の他の部分と同じ高分子材料で作製されてもよく、異なった高分子材料で作製されてもよい。これらの部品を作製するのに適している高分子材料として、ＰＥＴ（ポリエチレンテレフタレート）、ＰＢＴ（ポリブチレンテレフタレート）、ＰＴＴ（ポリトリメチレンテレフタレート、ＰＡ６（ポリカプロラクタム）、ＰＡ６６（ポリアミド６６）、ＰＡ４６（ポリアミド４６）、ＰＡＲ（芳香族ポリアミド）、ＰＣ（ポリカーボネート）、ＡＢＳ（アクリロニトリル／ブタジエン／スチレンコポリマー）、ＰＵ（ポリウレタン）、ＰＰＯ（ポリフェニレンオキシド）、ＬＣＰ（液晶ポリマー）、ＰＥＩ（ポリエーテルイミド）、ＰＶＣ（ポリ塩化ビニル）、およびこれらの混合物が含まれる。
【００６７】
これらの部品での使用に適しているポリエステルには、熱可塑性ポリエステルのホモポリマーおよびコポリマーが含まれる。熱可塑性ポリエステルは、１つまたは複数のジカルボン酸およびジオールから一般的に誘導される。
【００６８】
適切なジカルボン酸（およびそれらの対応するエステル）には、テレフタル酸、イソフタル酸、ナフタレンジカルボン酸、シクロヘキサンジカルボン酸、コハク酸、グルタル酸、アジピン酸、セバシン酸、１，１２−ドデカン二酸、フマル酸、マレイン酸、および、例えばジメチルエステル、ジエチルエステルまたはジプロピルエステルなどのそれらの誘導体からなる群から選択されるものがある。
【００６９】
ジオール成分として利用することができるグリコールのいくつかの代表的な例として、エチレングリコール、１，３−プロピレングリコール、１，２−プロピレングリコール、２，２−ジエチル−１，３−プロパンジオール、２，２−ジメチル−１，３−プロパンジオール、２−エチル−２−ブチル−１，３−プロパンジオール、２−エチル−２−イソブチル−１，３−プロパンジオール、１，３−ブタンジオール、１，４−ブタンジオール、１，５−ペンタンジオール、１，６−ヘキサンジオール、２，２，４−トリメチル−１，６−ヘキサンジオール、１，２−シクロヘキサンジメタノール、１，３−シクロヘキサンジメタノール、１，４−シクロヘキサンジメタノール、２，２，４，４−テトラメチル−１，３−シクロブタンジオール、イソソルビド、ナフタレングリコール、ジエチレングリコール、トリエチレングリコール、レゾルシノール、ヒドロキノン、ならびに、ポリテトラメチレンエーテルグリコール（それはアルキレンオキシドとのジオールまたはポリオールの反応生成物である）などの、より長鎖のジオールおよびポリオールが挙げられる。
【００７０】
ポリエステルの好ましいタイプの１つにおいて、ジカルボン酸は、１つまたは複数の、テレフタル酸、イソフタル酸および２，６−ナフタレンジカルボン酸を含み、また、ジオール成分は、１つまたは複数の、ＨＯ（ＣＨ２）ｎＯＨ（Ｉ）、１，４−シクロヘキサンジメタノール、ＨＯ（ＣＨ２ＣＨ２Ｏ）ｍＣＨ２ＣＨ２ＯＨ（ＩＩ）およびＨＯ（ＣＨ２ＣＨ２ＣＨ２ＣＨ２Ｏ）ｚＣＨ２ＣＨ２ＣＨ２ＣＨ２ＯＨ（ＩＩＩ）を含み、ここで、ｎは２〜１０の整数であり、平均のｍは１〜４で、ｚは平均で約７〜約４０である。（ＩＩ）と（ＩＩＩ）は化合物の混合物であってもよく、その中で、ｍおよびｚはそれぞれ、変化してもよく、したがってｍとｚ平均であるため、整数である必要がないということに留意されたい。好ましいポリエステルにおいて、ｎは、２、３もしくは４であり、および／または、ｍは、１である。
【００７１】
特定の好ましいポリエステルには、ポリ（エチレンテレフタレート）（ＰＥＴ）、ポリ（トリメチレンテレフタレート）（ＰＴＴ）、ポリ（１，４−ブチレンテレフタレート）（ＰＢＴ）、ポリ（エチレン２，６−ナフトアート）（ＰＥＮ）、およびポリ（１，４−シクロヘキシルジメチレンテレフタレート）（ＰＣＴ）、ならびに、これらのコポリマーおよび混合物が含まれるが、これらの限定されない。これらの内、好ましい熱可塑性ポリエステルは、ポリエチレンテレフタレート（ＰＥＴ）、ポリ（トリメチレンテレフタレート）（ＰＴＴ）、ポリ（１，４−ブチレンテレフタレート）（ＰＢＴ）ポリ（１，４−シクロヘキシルジメチレンテレフタレート）（ＰＣＴ）ならびに、これらのコポリマーおよび混合物から選択される。
【００７２】
本発明に適するポリ（エチレンテレフタレート）ホモポリマーは、Ｒｙｎｉｔｅ（登録商標）  ｐｏｌｙ（ｅｔｈｙｌｅｎｅ  ｔｅｒｅｐｈｔｈａｌａｔｅ）  ｐｏｌｙｅｓｔｅｒ  ｒｅｓｉｎｓという商品名でＥ．Ｉ．  ｄｕ  Ｐｏｎｔ  ｄｅ  Ｎｅｍｏｕｒｓ  ａｎｄ  Ｃｏ．Ｗｉｌｍｉｎｇｔｏｎ，  ＤＥから市販で入手可能である。本発明に適するポリ（１，４−ブチレンテレフタレート）ホモポリマーは、Ｃｒａｓｔｉｎ（登録商標）ＰＢＴ  ｐｏｌｙｅｓｔｅｒ  ｒｅｓｉｎｓという商品名で、Ｅ．Ｉ．ｄｕ  Ｐｏｎｔ  ｄｅ  Ｎｅｍｏｕｒｓ  ａｎｄ  Ｃｏ．Ｗｉｌｍｉｎｇｔｏｎ，  ＤＥから市販で入手可能である。好ましいＰＴＴコポリマーは、少なくとも約８５ｍｏｌ％、少なくとも約９０ｍｏｌ％、少なくとも約９５ｍｏｌ％、または少なくとも約９８ｍｏｌ％の共重合されたトリメチレンテレフタレート単位を含む。本発明に適する、ポリ（トリメチレンテレフタレート）ホモポリマーは、Ｓｏｒｏｎａ（登録商標）という商品名で、Ｅ．Ｉ．ｄｕ  Ｐｏｎｔ  ｄｅ  Ｎｅｍｏｕｒｓ  ａｎｄ  Ｃｏ．Ｗｉｌｍｉｎｇｔｏｎ，  ＤＥから市販で入手可能である。
【図１ａ】
2013526064.tif 000003
【図１ｂ】
2013526064.tif 000004
【図２ａ】
2013526064.tif 000005
【図２ｂ】
2013526064.tif 000006
【図２ｃ】
2013526064.tif 000007
【図３ａ】
2013526064.tif 000008
【図３ｂ】
2013526064.tif 000009
【図３ｃ】
2013526064.tif 000010
【図４ａ】
2013526064.tif 000011
【図４ｂ】
2013526064.tif 000012
【図４ｃ】
2013526064.tif 000013
【図４ｄ】
2013526064.tif 000014
【図５】
2013526064.tif 000015
【図６】
2013526064.tif 000016
【図７】
2013526064.tif 000017
【図８ａ】
2013526064.tif 000018
【図８ｂ】
2013526064.tif 000019
【図８ｃ】
2013526064.tif 000020
【図９ａ】
2013526064.tif 000021
【図９ｂ】
2013526064.tif 000022
【図９ｃ】
2013526064.tif 000023
【図１０】
2013526064.tif 000024
【図１１】
2013526064.tif 000025
【図１２】
2013526064.tif 000026
【図１３】
2013526064.tif 000027
【図１４】
2013526064.tif 000028
【図１５】
2013526064.tif 000029
【図１６】
2013526064.tif 000030
【図１７】
2013526064.tif 000031
【図１８】
2013526064.tif 000032
【国際調査報告】
2013526064.tif 000033
2013526064.tif 000034
2013526064.tif 000035